(57)【要約】      （修正有）【課題】磁気ヘッド着脱機構を軽量化し、磁気ヘッドの着脱を容易化する。【解決手段】ＶＣＭ機構により揺動駆動されるヘッドアーム部に取り付けられたコネクタブロック３１と、コネクタブロックに対して接離移動自在に、かつ接近する方向に弾性部材により付勢された可動ブロック３４と、コネクタブロック及び可動ブロックの少なくとも一方の対向面に形成された複数のスリット３１ａと、スリットが設けられたブロックの外周面及び各スリットに沿って折り曲げられてブロックに装着された導電プローブ３２と、を備え、導電プローブは、各スリットから弾性的に出没自在な接点部３２ａと、外部配線３６ａに接続された配線接続部とを備え、フレキシブル配線１７がコネクタブロックと可動ブロックとの間に挿入されたときに、導電プローブの接点部が弾性力によってフレキシブル配線の対応する配線１８ａに弾性的に接触して、フレキシブル配線と外部配線とを導通する。【選択図】図４
2009026395.tif 000002
【特許請求の範囲】
【請求項１】
ＶＣＭ機構により揺動駆動されるヘッドアーム部を有するヘッドアーム装置と、該ヘッドアーム部に装着されたＨＧＡを、メディアに対してロードして電気的、機械的な特性を測定する磁気ヘッド試験用のスピンドルステージにおいて、前記ＨＧＡのフレキシブル配線を外部配線に接続するコネクタ構造であって、
前記ヘッドアーム部に取り付けられたコネクタブロックと、
前記コネクタブロックに対して接離移動自在に、かつ接近する方向に弾性部材により付勢された可動ブロックと、
前記コネクタブロック及び前記可動ブロックの少なくとも一方の対向面に形成された複数のスリットと、
前記スリットが設けられたブロックの外周面及び前記各スリットに沿って折り曲げられて前記ブロックに装着された導電プローブと、を備え、
前記導電プローブは、前記各スリットから弾性的に出没自在な接点部と、前記外部配線に接続された配線接続部とを備え、
前記フレキシブル配線が前記コネクタブロックと前記可動ブロックとの間に挿入されたときに、前記導電プローブの接点部が弾性力によって前記フレキシブル配線の対応する配線に弾性的に接触して、前記フレキシブル配線と前記外部配線とを導通すること、を特徴とする磁気ヘッドテスト用スピンドルステージのコネクタ構造。
【請求項２】
請求項１記載の磁気ヘッドテスト用スピンドルステージのコネクタ構造において、前記複数のスリットは前記コネクタブロックに形成されている磁気ヘッドテスト用スピンドルステージのコネクタ構造。
【請求項３】
請求項１または２記載の磁気ヘッドテスト用スピンドルステージのコネクタ構造において、前記可動ブロックは、板ばねを介して前記ヘッドアーム部に取り付けられ、前記板ばねの弾性付勢力に抗して前記コネクタブロックと離反自在に、かつ前記板ばねの弾性付勢力により前記フレキシブル配線を前記コネクタブロックとの間に挟持する磁気ヘッドテスト用スピンドルステージのコネクタ構造。
【請求項４】
請求項３記載の磁気ヘッドテスト用スピンドルステージのコネクタ構造において、前記板ばねに作用して、前記可動ブロックを前記コネクタブロックから接離させる機構を備えた磁気ヘッドテスト用スピンドルステージのコネクタ構造。
【請求項５】
請求項１乃至４のいずれか一項記載の磁気ヘッドテスト用スピンドルステージのコネクタ構造において、前記フレキシブル配線が抜き差しされる前記コネクタブロック及び可動ブロックの開口部は、フレキシブル配線を外方から前記コネクタブロック及び可動ブロックの間にガイドするスロープ面が形成されている磁気ヘッドテスト用スピンドルステージのコネクタ構造。
【請求項６】
前記請求項５記載の磁気ヘッドテスト用スピンドルステージのコネクタ構造において、前記コネクタブロック及び可動ブロックの一方には、これらの間に差し込まれたフレキシブル配線を突き当て位置決めする突起が設けられている磁気ヘッドテスト用スピンドルステージのコネクタ構造。
【請求項７】
請求項１乃至６のいずれか一項記載の磁気ヘッドテスト用スピンドルステージのコネクタ構造において、前記複数のスリットは、前記導電プローブの接点部側に向かって間隔が狭くなるように形成されている磁気ヘッドテスト用スピンドルステージのコネクタ構造。
【発明の詳細な説明】
【技術分野】
【０００１】
本発明は、磁気ヘッドをフォローイングさせるＶＣＭ機構を備えた、磁気ヘッドテスト用スピンドルステージのコネクタ構造に関する。
【背景技術】
【０００２】
従来のハードディスク装置（ＨＤＤ）は、磁気ヘッド、つまりＨＧＡ（Head Gimbal Assembly／ヘッド・ジンバル・アッセンブリ)に装着された磁気ヘッドを、ディスク上に書かれたサーボパターンによりサーボフォローイングさせることで、磁気ヘッドが常にデータトラックの幅方向の中心に位置するように制御する。ＨＧＡは、ＶＣＭ（Voice Coil Motor／ボイスコイルモータ）機構を備えたヘッドアーム装置のヘッドアーム部に装着され、ＶＣＭ機構によってサーボフォローイング制御されている。これは、現在のＨＤＤで用いられている一般的なメカニズムである。
【０００３】
磁気ヘッドをＨＤＤに組み込む前に、テスターによりリードライトテストを実行する。この磁気ヘッドのリードライトテストでは、トラック幅の中央に正確に磁気ヘッドを位置決めしながらテストを行なう必要がある。このため、一般には位置決め分解能の高いピエゾステージにより磁気ヘッドの位置決めを行なう方式がとられていた。
【０００４】
また、磁気ヘッドの位置をロータリポジショナで検知するテスターが開発されている（特許文献１）。
【特許文献１】特開２００２-２３７００１号公報
【発明の開示】
【発明が解決しようとする課題】
【０００５】
サーボパターンがプリライトされた次世代メディアでは、サーボフォローイングしながらテストを行なうことが必須であるが、従来のピエゾステージを使用したテスターやロータリポジショナによる位置検知では、プリライトされたサーボパターンに追随してRRO (Repeatable Run-Out)の影響を排除しながらトラックフォローイングすることができなかった。
【０００６】
さらに従来のテスターでは、磁気ヘッドのフレキシブル配線とテスターの回路配線とを接続するコネクタ機構が大きく重いので、このコネクタ機構をＶＣＭ機構を備えたヘッドアーム装置に搭載すると、可動部の重量が重くなって、サーボフォローイング性能が劣化してしまう。
【０００７】
本発明はかかる従来のテスターの問題に鑑みてなされたものであって、磁気ヘッドの着脱が容易で自動化が容易な、ＶＣＭ機構を備えた磁気ヘッドテスト用スピンドルステージのコネクタ構造を得ることを目的とする。
【課題を解決するための手段】
【０００８】
かかる課題を解決する本発明は、ＶＣＭ機構により揺動駆動されるヘッドアーム部を有するヘッドアーム装置と、該ヘッドアーム部に装着されたＨＧＡを、メディアに対してロードして電気的、機械的な特性を測定する磁気ヘッド試験用のスピンドルステージにおいて、前記ＨＧＡのフレキシブル配線を外部配線に接続するコネクタ構造であって、前記ヘッドアーム部に取り付けられたコネクタブロックと、前記コネクタブロックに対して接離移動自在に、かつ接近する方向に弾性部材により付勢された可動ブロックと、前記コネクタブロック及び前記可動ブロックの少なくとも一方の対向面に形成された複数のスリットと、前記スリットが設けられたブロックの外周面及び前記各スリットに沿って折り曲げられて前記ブロックに装着された導電プローブと、を備え、前記導電プローブは、前記各スリットから弾性的に出没自在な接点部と、前記外部配線に接続された配線接続部とを備え、前記フレキシブル配線が前記コネクタブロックと前記可動ブロックとの間に挿入されたときに、前記導電プローブの接点部が弾性力によって前記フレキシブル配線の対応する配線に弾性的に接触して、前記フレキシブル配線と前記外部配線とを導通することに特徴を有する。
【０００９】
実際的には、前記複数のスリットは前記コネクタブロックに形成される。
前記可動ブロックは、板ばねを介して前記ヘッドアーム部に取り付けられ、前記板ばねの弾性付勢力に抗して前記コネクタブロックと離反自在に、かつ前記板ばねの弾性付勢力により前記フレキシブル配線を前記コネクタブロックとの間に挟持するように形成するのが好ましい。
【００１０】
磁気ヘッドテスト用スピンドルステージのコネクタ構造にあっては、前記板ばねに作用して、前記可動ブロックを前記コネクタブロックから接離させる機構を備えることもできる。
【００１１】
好ましくは、前記フレキシブル配線が抜き差しされる前記コネクタブロック及び可動ブロックの開口部は、フレキシブル配線を外方から前記コネクタブロック及び可動ブロックの間にガイドするスロープ面を形成する。
【００１２】
また、前記コネクタブロック及び可動ブロックの一方には、これらの間に差し込まれたフレキシブル配線基板を突き当て位置決めする突起を設けることが好ましい。
【００１３】
前記複数のスリットは、前記導電プローブの接点部側に向かって間隔が狭くなるように形成してもよい。
【発明の効果】
【００１４】
本発明によれば、軽量で簡単なコネクタ構造により、ＨＧＡのプリント配線を回路配線に容易に接続し、離反できるので、ＶＣＭ機構を備えた磁気ヘッドテスト用スピンドルステージに搭載しても、サーボフォローイング性能を損なうことが無い。
【発明を実施するための最良の形態】
【００１５】
図１、図２は、本発明を適用したＶＣＭ機構２０の実施形態の全体概要を示す斜視図であって、図１は上方から見た斜視図、図２は下方から見た斜視図である。
【００１６】
ＶＣＭ機構２０は、軸受ユニット部２１と、この軸受ユニット部２１と一体に形成された、ボイスコイル２３を有するコイルアーム部２２と、コイルアーム部２２とは反対方向に延びるヘッドアーム部２４とを備えている。軸受ユニット部２１は、図示しないが、テスターのベースプレート上に回動自在に軸支され、さらにベースプレートには、ボイスコイル２３を間に挟んで図示しない永久磁石が配置され、ボイスコイル２３及び永久磁石によってＶＣＭが構成される。さらにボイスコイル２３には、図示しないが公知の通りＦＰＣを介して駆動制御回路から駆動電流が供給され、ヘッドアーム部２４をフォローイング駆動する。
【００１７】
ヘッドアーム部２４の先端部には、磁気ヘッドとしてのＨＧＡ１０のスウエッジ用ボス１６を嵌合する、図示しないスウエッジ用ボス穴に嵌合が形成されていて、スウエッジ用ボス１６とボス穴との嵌合、離脱により、ＨＧＡ１０がヘッドアーム部２４に着脱される。
【００１８】
一般的なＨＧＡ１０を図３に示した。このＨＧＡ１０は、サスペンションアーム部１１として、ベースプレート１２及びロードビーム１３を具備し、このロードビーム１３の先端部にスライダ１４が装着されている。このスライダ１４は、周知の通り、メディア対向面の先端に読み書きヘッド（読み込みヘッド及び書き込みヘッド）１４ａが一体に形成されている。さらに、サスペンションアーム部１１の先端部には凸部を有するロード・アンロード・タブ１５が突出形成され、ベースプレート１２にはヘッドアーム（アクチュエータアームまたはスイングアーム）にスウエッジ（かしめ）装着するためのスウエッジ用ボス１６が形成されている。読み書きヘッド１４ａに接続されたスライダ１４の読み書き端子（図示せず）にはＦＰＣ１７が接続され、このＦＰＣ１７がサスペンションアーム部１１から後方に引き出されている。ＦＰＣ１７の先端部には、スライダ１４の読み書き端子に接続された信号線の接点である６個の電気コンタクト１８ａが露出したタブ１８が備えられている。
【００１９】
これらの電気コンタクト１８ａは、ＶＣＭ機構２０に設けられたコネクタ３０によって、回路配線基板（プリント基板）３６の端部に設けられた対応する電気コンタクト３６ａと接続される。このコネクタ構造３０について、図４及び図５を参照して説明する。
【００２０】
コネクタ３０は、絶縁性の高いプラスチックで作られたコネクタブロック３１と、コネクタブロック３１を取り巻くように設けられた複数（６）本の導電プローブ３２と、コネクタブロック３１に対して接離移動する可動の可動ブロック３４を備えている。コネクタブロック３１はＶＣＭ機構２０の軸受ユニット部２１の外周面に固定されていて、下部には導電プローブ３２が嵌り込むように細いスリット（溝）３１ａが形成されている。導電プローブ３２は、このスリット３１ａ内でその弾性によりスリット３１ａ内外に自由に撓み、先端部に形成された接点部３２ａはスリット３１ａから出没自在であり、自然状態ではスリット３１ａから突出している。導電プローブ３２の他端部は、回路配線基板３６の端部に設けられた電気コンタクト３６ａにハンダ付けされている。なお、回路配線基板３６は、コネクタブロック３１によって軸受ユニット部２１の外周面との間に挟圧固定されている。
【００２１】
可動ブロック３４は、コネクタブロック３１に対向する側の面に、大きな面取り状のスロープ３４ａ、スロープ３４ａに連なるタブ支持面３４ｂ及び位置決め突起３４ｃを備えている。タブ支持面３４ｂ上に、タブ１８が載置される。
可動ブロック３４は、板ばね３５の先端部にねじ止め等により固定されている。板ばね３５は、その後端部がヘッドアーム部２４にねじ止め等により固定されていて、先端部の可動ブロック３４を弾性的にコネクタブロック３１に押圧している。可動ブロック３４のタブ支持面３４ｂは、この板ばね３５のばね力により、導電プローブ３２の先端部に当接し、導電プローブ３２を撓ませてスリット３１ａ内に押し込み、タブ支持面３４ｂがコネクタブロック３１を押圧できるように形成されている。
【００２２】
タブ１８は、図５（Ａ）においては左方向からスライドさせるように、コネクタブロック３１と可動ブロック３４の間に挿入される。図（Ａ）において、矢印Ｓはタブ１８の抜き差し方向である。この実施形態では、タブ１８の差し込み動作をスムーズに行うことができるように、可動ブロック３４には大きな面取り状のスロープ３４ａが形成されている。この実施形態では、コネクタブロック３１の方も、スリット３１ａを設けた対向面にスロープをつけてある。また、この可動ブロック３４のタブ支持面３４ｂには、タブ１８の位置決めのために、壁状の位置決め突起３４ｃが設けられている。
【００２３】
以上の通り、タブ１８をコネクタブロック３１と可動ブロック３４の間に差し込むと、タブ１８の縁部が可動ブロック３４を板ばね３５のばね力に抗して撓ませてコネクタブロック３１とタブ支持面３４ｂとの間隔を広げ、コネクタブロック３１とタブ支持面３４ｂと摺接しながら進入し、位置決め突起３４ｃに突き当たって止まる。この停止状態において、導電プローブ３２の接点部３２ａがタブ１８上の電気コンタクト１８ａに弾性的に接触し、導通する。さらにタブ支持面３４ｂには、タブ１８の長さ方向位置も規制できるように位置決め突起３４ｃ′を設けてもよい。
【００２４】
以上は、タブ１８を板ばね３５の弾性付勢力に抗して挿脱する構成であったが、可動ブロック３４をコネクタブロック３１から接離させる機構を設けてもよい。例えば、図５（Ａ）に示したように、可動ブロック３４の下面先端部を突出させて突出部に遊び穴３４ｃを開け、この遊孔３４ｃに、エアシリンダ機構４１のピストン４２を貫通させて、ピストン４２の先端部に抜け止め部材４３を固定する。このピストン４２を矢印Ｖ方向に伸縮させることにより、可動ブロック３４をコネクタブロック３１から接離移動させる。ピストン４２を引き込むと、抜け止め部材４３が可動ブロック３４を板ばね３５の弾性付勢力に抗してコネクタブロック３１から離反するので、この離反状態でタブ１８を矢印Ｓ方向に抜き差しすれば、タブ１８、電気コンタクト１８ａ及び接点部３２ａを傷つける虞れがなく、しかもより強い弾性力で接点部３２ａと電気コンタクト１８ａとを接触させることが可能になる。さらにこの接離機構の別の実施例では、板ばね３５に作用する偏芯カム機構を設け、偏芯カムの回転によって板ばね３５を撓ませてもよい。
【００２５】
さらに別の実施例では、前記複数のスリット３１ａは、前記導電プローブ３２の接点部３２ａに向かって間隔が狭くなるように形成してもよい。この実施例によれば、より間隔の狭い電気コンタクト１８ａにも対応させることができる。
【００２６】
以上の実施形態では、固定されたコネクタブロック３１にスリット３１ａを形成して導電プローブ３２を装着したが、可動ブロック３４の方にスリットを設けて導電プローブを装着してもよい。この場合、コネクタブロック３１と可動ブロック３４の上下位置を入れ替える。
【図面の簡単な説明】
【００２７】
【図１】磁気ヘッドテスト用スピンドルステージに搭載される、本発明のコネクタ構造を適用したＶＣＭ機構の実施形態の全体概要を上方から見た斜視図である。
【図２】同ＶＣＭ機構の実施形態の全体概要を下方から見た斜視図である。
【図３】同ＶＣＭ機構に着脱される磁気ヘッド（ＨＧＡ）の実施例を示す正面図である。
【図４】本発明を適用したコネクタ構造の実施形態の要部を分解して示す斜視図である。
【図５】同コネクタ構造を、（Ａ）は図１の矢視Ａ方向に見た図、（Ｂ）は図１の矢視Ｂ方向に見た図、（Ｃ）は（Ｂ）の拡大図である。
【符号の説明】
【００２８】
１０  ＨＧＡ（磁気ヘッド）
１７  ＦＰＣ１７
１８  タブ
１８ａ  電気コンタクト（フレキシブル配線）
２０  ＶＣＭ機構
２４  ヘッドアーム部
３１  コネクタブロック
３１ａ  スリット（溝）
３２  導電プローブ
３２ａ  接点部
３４  可動ブロック
３４ａ  スロープ
３４ｂ  タブ支持面
３４ｃ  位置決め突起
３６  回路配線基板
３６ａ  電気コンタクト（外部配線）
４１  エアシリンダ
【図１】
2009026395.tif 000003
【図２】
2009026395.tif 000004
【図３】
2009026395.tif 000005
【図４】
2009026395.tif 000006
【図５】
2009026395.tif 000007